(57)【要約】【課題】容量増加、速度低下等の原因となるシステム負荷を増加させることなく、読影精度を向上し、読影に最適な撮影画像を得る。【解決手段】カラー撮影モードでの撮影が行われると、デジタルカメラ１１内の基画像データ生成部は撮像された原画像を階調分解能は原画像のまま、第１の処理による空間分解能を減ずる画素加算等の処理を実行し、更に必要に応じて可逆圧縮を施した基画像データＳ１を生成する。その後に通信経路３を通ってパーソナルコンピュータ２の画像処理部に転送される。画像処理部に転送された画像データは、各撮影モードに従った階調変換が施され、最終的にはモニタ等の画像表示部２１に適した階調分解能を有する診断用電子画像を生成し画像表示部２１に表示する。【選択図】図１
2010194161.tif 000002
【特許請求の範囲】
【請求項１】
撮影条件が異なる複数の撮影モードを選択する撮影モード選択手段と、被検眼を撮像する撮像手段と、選択された前記撮影モードに応じて前記撮像手段により撮像された電子データを処理し基画像データを生成する基画像データ生成手段と、該基画像データ生成手段の出力に基づいて診断用電子画像を生成する画像処理手段とを有する眼科撮影装置において、前記基画像データ生成手段は空間分解能と階調分解能とが異なる複数の基画像データを生成する第１、第２の処理手段を有し、前記画像処理手段は前記第１、第２の処理手段で生成された複数の基画像データに対し、同一の前記階調分解能を有する前記診断用電子画像を生成すると共に、前記第１の処理手段の空間分解能は前記第２の処理手段の空間分解能よりも低く、前記第１の処理手段の階調分解能は前記第２の処理手段の階調分解能よりも高いことを特徴とする眼科撮影装置。
【請求項２】
前記撮影モード選択手段により、カラー診断用画像を得るカラー撮影モードが選択された際に、前記基画像データ生成手段は前記第１の処理手段を実行することを特徴とする請求項１に記載の眼科撮影装置。
【請求項３】
前記撮影モード選択手段により、モノクロによる診断用画像を得る各種のフィルタ撮影の少なくとも１つが選択された際に、前記基画像データ生成手段は前記第２の処理手段を実行することを特徴とする請求項１に記載の眼科撮影装置。
【請求項４】
前記画像処理手段は前記基画像データに対し複数の階調変換を行う画像処理手段を有すると共に、前記撮影モード選択手段の出力に基づいて所定の階調変換を行うことを特徴とする請求項１に記載の眼科撮影装置。
【請求項５】
前記撮影モード選択手段により、カラー診断用画像が得られるカラー撮影モードが選択された際に、前記画像処理手段は前記基画像データの階調情報に基づいた階調変換を行うことを特徴とする請求項４に記載の眼科撮影装置。
【請求項６】
前記基画像データ生成手段により生成された前記基画像データを前記画像処理手段に転送するデータ転送手段を有することを特徴とする請求項２又は３に記載の眼科撮影装置。
【請求項７】
前記撮影モード選択手段により、カラー診断用画像が得られるカラー撮影モードが選択された際に、転送する前記基画像データは可逆圧縮又は非可逆圧縮の画像データであり、モノクロによる診断用画像が得られる各種のフィルタ撮影の少なくとも１つが選択された際に、非可逆圧縮された画像データであることを特徴とする請求項６に記載の眼科撮影装置。
【請求項８】
前記撮像手段と前記基画像データ生成手段とを一体的にしたことを特徴とする請求項１に記載の眼科撮影装置。
【発明の詳細な説明】
【技術分野】
【０００１】
本発明は、例えば眼科医院や集団健診等で用いられ、被検眼を撮影し画像処理を行う眼科撮影装置に関するものである。
【背景技術】
【０００２】
眼科撮影装置として、被検眼の眼底撮影を行う眼底カメラが知られている。また、眼底カメラでは被検眼の観察を行い、検査目的に合わせた撮影を行うためのカラー撮影、可視蛍光撮影（蛍光Ｇ撮影）や近赤外蛍光撮影（ＩＣＧ撮影）等の複数の撮影モードを有する装置が知られている。
【０００３】
この複数の撮影モードに応じて、装着するテレビカメラのパラメータであるゲインやガンマ或いは色温度等を自動設定する装置が特許文献１に開示されている。また、複数の撮影モードに応じた最適の処理パラメータで画像処理を行う装置が特許文献２に開示されている。
【０００４】
ここでいう最適の処理パラメータとは、被検眼眼底を可視蛍光撮影する場合は、本来では緑がかったカラー画像になるが、読影のし易さから白黒画像に変換し、更にガンマ特性やコントラスト等の階調変換処理を行うことである。また、近赤外蛍光撮影の場合も同様に、ガンマ特性やコントラスト処理を行って診断することが一般的である。
【先行技術文献】
【特許文献】
【０００５】
【特許文献１】特開２００１−２４５８５１号公報
【特許文献２】特開２００４−１８７８１１号公報
【発明の概要】
【発明が解決しようとする課題】
【０００６】
従来、複数の撮影モードを有する眼科撮影装置では、（１）撮影直後に撮像した生の画像を最適の処理パラメータで画像処理を行い、圧縮した画像で読影を行う方法、（２）撮像した原画像を全て保持し読影を行う方法の２つの方法が採られている。
【０００７】
しかしながら、（１）の方法で読影を行うと、色みや濃度等の階調情報が不足することで、病変部位が見辛くなり、最悪の場合には病変の見落としを引き起こす可能性がある。また（２）で行う方法では、階調情報は不足しないが、近年の撮像素子の高解像度化によって、画像データが膨大になり、処理速度の低下や記録データの増大によって、装置の負荷が大きく、使い勝手の悪いものになってしまう。
【０００８】
本発明の目的は、上述の問題点を解消し、装置の使い勝手を損うことなく、読影精度を向上することが可能な眼科撮影装置を提供することにある。
【課題を解決するための手段】
【０００９】
上記目的を達成するための本発明に係る眼科撮影装置は、撮影条件が異なる複数の撮影モードを選択する撮影モード選択手段と、被検眼を撮像する撮像手段と、選択された前記撮影モードに応じて前記撮像手段により撮像された電子データを処理し基画像データを生成する基画像データ生成手段と、該基画像データ生成手段の出力に基づいて診断用電子画像を生成する画像処理手段とを有する眼科撮影装置において、前記基画像データ生成手段は空間分解能と階調分解能とが異なる複数の基画像データを生成する第１、第２の処理手段を有し、前記画像処理手段は前記第１、第２の処理手段で生成された複数の基画像データに対し、同一の前記階調分解能を有する前記診断用電子画像を生成すると共に、前記第１の処理手段の空間分解能は前記第２の処理手段の空間分解能よりも低く、前記第１の処理手段の階調分解能は前記第２の処理手段の階調分解能よりも高いことを特徴とする。
【発明の効果】
【００１０】
本発明に係る眼科撮影装置によれば、被検眼の基画像データの空間分解能と階調分解能とを撮影モードに応じた最適なものとすることにより、その後の画像処理の最適化を行うことができ、読影の精度向上を達成できる。また、撮影モードにより不要となる冗長なデータを適度に圧縮することにより、装置の使い勝手を損うことがない。更に、最終の診断用画像としては、撮影モードの基画像データは後段の画像処理により取り扱いが容易で、かつモニタの階調表現に適した階調分解能に変換されるため、撮影モードに拘らず、統一的な扱いが可能となる。
【図面の簡単な説明】
【００１１】
【図１】眼科撮影装置の構成図である。
【図２】ブロック回路構成図である。
【図３】糖尿病性網膜症の読影例の説明図である。
【図４】緑内障の読影例の説明図である。
【図５】画像データの説明図である。
【発明を実施するための形態】
【００１２】
本発明を図示の実施例に基づいて詳細に説明する。
【実施例１】
【００１３】
図１は眼底カメラを眼科撮影装置の構成図を示し、眼底カメラ１と画像処理やファイル管理用のパーソナルコンピュータ２とによって構成されている。眼底カメラ１には、内部にＣＣＤ等の撮像手段を有しデジタルの基画像データを生成するデジタルカメラ１１、スイッチから成る撮影開始手段１２、同様にスイッチから成る撮影モード選択手段１３が設けられている。また、パーソナルコンピュータにはモニタ等の画像表示部２１が設けられている。なお、図示は省略しているが、眼底カメラ１には被検眼を撮影するための照明光学系及び撮影光学系、撮影モードに応じたフィルタ、観察光源、撮影光源等の部材が設けられている。
【００１４】
眼底カメラ１とパーソナルコンピュータ２との間には、２通りの通信経路３、４が用いられており、通信経路３はデータ転送のためのであり、デジタルカメラ１１から基画像データＳ１が出力される。通信経路４を用いて、眼底カメラ１から撮影情報Ｓ２が出力され、パーソナルコンピュータ２からは撮影動作が可能な状態になったことを示す撮影許可信号Ｓ３が出力される。
【００１５】
図２は実施例のブロック回路構成図である。眼底カメラ１は前述のデジタルカメラ１１、撮影開始手段１２、撮影モード選択手段１３の他に、眼底カメラ制御部１４、撮影情報管理部１５、画像生成検出管理部１６により構成されている。眼底カメラ制御部１４は眼底カメラ１の制御を行い、画像生成検出管理部１６はデジタルカメラ１１により基画像データが生成されたことを検出する。更に、デジタルカメラ１１の内部には、ＣＣＤ等の撮像素子１７、デジタルカメラ１１の制御を行うデジタルカメラ制御部１８、デジタルカメラ１１の基画像データを生成する基画像データ生成部１９が設けられている。
【００１６】
また、パーソナルコンピュータ２の内部には、画像処理部２２、撮影情報保存部２３、ファイル保存部２４、撮影条件情報入力部２５、画像編集部２６が設けられている。画像処理部２２は基画像データ生成部１９から出力された基画像データに対して、主に階調処理等を実行する画像処理を行い、撮影情報保存部２３は眼底カメラ１の撮影情報管理部１５から出力された撮影情報をファイル保存部２４に保存する。ファイル保存部２４は撮影情報付き画像ファイルを保存し、撮影条件情報入力部２５は患者名や撮影場所等の撮影条件情報を入力する。
【００１７】
基画像データ生成部１９を一般的なデジタルカメラと一体的に設け、画像処理部２２としてＰＣを利用し、両者をデータ転送手段で結び装置を構成することにより、より安価、簡易のシステムを提供することができる。加えて、この際のデータ転送時間を不要に延ばすことなく、撮影後の画像表示を迅速に行うことができる。
【００１８】
撮影する患者が決まると、パーソナルコンピュータ２では撮影条件情報入力部２５を用いて患者の選択や患者情報の確認等が行われる。次に、患者に対する情報が確定した時点で撮影を可能とするため、通信経路４を介して撮影許可信号Ｓ３を出力する。この撮影許可信号Ｓ３の出力によって、眼底カメラ１の操作が可能になる。
【００１９】
この状態で、撮影モード選択手段１３によって撮影モードを選択する。本実施例では、撮影モードとしてカラー撮影モード、蛍光（可視蛍光血管造影）撮影モードがある。撮影モードを選択した後に、被検眼に対するアライメント操作やフォーカス操作を行う。撮影部位が決定すると、操作者は眼底カメラ１の撮影開始手段１２を操作して眼底撮影を行う。眼底カメラ１は撮影開始手段１２の入力に応じて、デジタルカメラ１１からの撮影同期信号によって、撮影光源を発光する。
【００２０】
先ず、カラー撮影モードにおいては、検者は撮影モード選択手段１３によりカラー撮影モードを選択する。この操作により、眼底カメラ制御部１４はフィルタをカラー撮影用に変更する。撮影が行われると、デジタルカメラ１１内の基画像データ生成部１９は、撮像された原画像を階調分解能は原画像の例えば１２ｂｉｔ・３（ＲＧＢ）のまま、空間分解能を減ずる画素加算等の処理を実行する。更に、必要に応じて可逆圧縮を施した基画像データＳ１を生成する。
【００２１】
その後に、基画像データＳ１は通信経路３を通ってパーソナルコンピュータ２の画像処理部２２に転送される。転送された基画像データＳ１に対して各撮影モードに従った階調変換が施され、最終的には画像表示部２１に適した階調分解能、例えば一般的には８ｂｉｔ・３のカラー診断用画像を生成し、画像表示部２１に表示する。なお、ここで行われる画像処理プロセスを第１の処理とする。
【００２２】
その後に、その画像は基画像データＳ１、及び撮影条件情報入力部２５と、撮影情報保存部２３との撮影関連情報と関連付けられ、ファイル保存部２４に保存される。つまり、ファイル保存部２４に保存されるファイルは、診断画像と、原画像の階調情報１２ビットと同様の階調情報を持つ基画像データＳ１との双方を保存する。
【００２３】
このように、カラー撮影モードにおける特長的な制御は、基画像データ生成部１９によって行われる階調情報を原画像のままとし、空間情報を圧縮する処理であると云える。カラー撮影では、撮影光学系における色収差等により、より狭い照明波長帯でフィルタ撮影を行うモノクロによる撮影、例えば蛍光撮影・レッドフリー撮影等に比べて、画像の空間周波数帯域が狭い。
【００２４】
画像の空間周波数帯域が狭いカラー診断用画像を得るカラー撮影モードは、より狭い照明波長帯でフィルタ撮影を行う例えば蛍光撮影・レッドフリー撮影等のモノクロ撮影に比べて、空間分解能よりも階調分解能をより優先した基画像データを生成する。これにより、冗長な空間データを適度に圧縮することが可能であり、更により高い階調分解能を維持した基画像データを後段の画像処理が扱うことが可能である。従って、眼底上の乳頭・黄斑のダイナミックレンジの広い階調表現に対して、適切な階調処理を実施できる。
【００２５】
図３（ａ）はカラー撮影モードでの読影における画像処理の具体例であり、眼底の糖尿病性網膜症の読影例を示し、カラー撮影を行った後に第１の処理によって画像表示部２１に出力された画像を示す。これにより、血管はその周辺部位と比較して輝度や明度の差が大きいために識別は容易である。
【００２６】
しかし、部位ａにある小出血斑を読影する場合に、注目部位の輝度や明度の差を強調する処理が有効である。強調処理はファイル保存部２４に保存された基画像データファイルを用いて、画像編集部２６によって実行される。強調処理を行うことで、図３（ｂ）の画像となり、部位ｂのように小出血斑の読影が可能になる。本実施例では、基画像データファイルは階調情報を原画像のまま記録しているため、このような細部の読影が可能になる。
【００２７】
図４は緑内障の読影例を示し、図４（ａ）は図３と同様に第１の処理によって、画像表示部２１に出力された画像を示す。図４（ａ）では階調分解能が足らず、かつ表示素子のダイナミックレンジの不足から、網膜視神経繊維束の欠損を把握するために必要な乳頭部ｃの篩（し）状板の様子を把握することはできない。
【００２８】
しかし、階調分解能が維持されている基画像に対して、乳頭内の篩（し）状板を表現可能な階調変換処理を階調変換処理画像編集部２６によって施すことにより、図４（ｂ）の乳頭部ｄのように階調が大きな描出が可能となる。このように、カラー画像の場合は階調情報を原画像のまま記録しておくことによって、色みや階調に対する画像編集処理によって細部の診断が可能となる。
【００２９】
その他の画像処理として、露出不足や白内障のように輝度や明度が小さく、暗い領域が多い眼底画像に対する強調処理やノイズ除去処理や、眼底の色素の違いによって自然な色みにならなかった眼底画像に対する色補正処理等の有用な画像編集処理がある。
【００３０】
モノクロ画像の例としての蛍光撮影モードでは、検者は撮影モード選択手段１３により蛍光撮影モードを選択する。この操作を受け、眼底カメラ制御部１４はフィルタを蛍光撮影用に制御する。撮影が行われると、デジタルカメラ１１内の基画像データ生成部１９では減色処理と蛍光撮影モードに従った階調変換を実行する。撮像された原画像の空間分解能の例えば総画素数１０Ｍピクセルのまま、階調分解能を例えば１２ｂｉｔ・３（ＲＧＢ）から８ｂｉｔモノクロに減ずる減色処理と階調変換を行う。
【００３１】
更に、必要に応じてファイルの非可逆圧縮、例えばＪＰＥＧ圧縮を施した基画像データＳ１を生成する。その後に、デジタルカメラ１１の基画像データＳ１は、通信経路３を通ってパーソナルコンピュータ２の画像処理部２２に転送される。画像処理部２２に転送された画像データは、必要に応じてファイルの復元が行われる。
【００３２】
復元された画像データは既に最終的には、画像表示部２１に適した階調分解能、蛍光では例えば８ｂｉｔモノクロに低減し、かつ適切な階調処理がなされているので、これを表示診断用画像として画像表示部２１に表示する。その後に、画像は撮影条件情報入力部２５と、撮影情報保存部２３との撮影関連情報と共にファイル保存部２４に保存される。
【００３３】
上述のカラー撮影に比べて、より狭い照明波長帯でフィルタ撮影を行うモノクロ撮影の際に拡大する画像の空間周波数帯域に対応して、階調分解能よりも空間分解能をより優先した基画像データを生成し、データを適度に圧縮することが可能となる。この圧縮は蛍光撮影の高速連射にとっても効果を発する。
【００３４】
蛍光撮影モードでは、蛍光剤による血管造影が目的であるため、蛍光剤が作る高コントラストでかつ微細な血管像が画像の大半を占めるため、広帯域の画像の空間周波数帯域に対応した空間分解能が必要である。反面で、コントラストが十分高いので、基画像データ生成部１９が行う一義的な階調変換で、十分な階調表現が可能であると共に、読影のし易さを目的にモノクロ画像に変換することも行われる。
【００３５】
即ち、この蛍光撮影モードにおいては、第２の処理により階調分解能よりも空間分解能をより優先した基画像データを生成することにより、データを適度に圧縮することができる。また同様の理由から、画像処理部２２では一般的には特別な階調変換を行う必要はない。勿論、ユーザの好みや蛍光剤の量や種類、検者の好みの特有の条件により、適当な階調処理を再実行することも可能である。
【００３６】
図５（ａ）は本実施例における第１の処理による画像データであり、各部の大きさはデータ容量を示しており、画像Ｘ０は撮像素子１７が撮像した原画像つまり電子データそのものである。画像Ｘ１ａはカラー撮影時にデジタルカメラ１１内の基画像データ生成部１９が生成する基画像データである。原画像Ｘ０を階調分解能が原画像の例えば１２ｂｉｔ・３（ＲＧＢ）のまま、空間分解能は画素加算等の処理により減ぜられ、更に必要に応じて可逆圧縮が施されたものを示す。従って、データ量としては画像Ｘ１ａは画像Ｘ０よりも小さくなる。
【００３７】
デジタルカメラ１１の画像Ｘ１ａは、通信経路３を通ってパーソナルコンピュータ２の画像処理部２２に転送される。この通信時間は通信速度が一定の場合に、画像Ｘ１ａのデータ容量に支配される。装置の応答、使い勝手は画像Ｘ１ａのデータ容量に依存することになり、この容量を最適化することが重要である。
【００３８】
画像Ｘ２ａは各撮影モードに従った階調変換が施され、最終的にはモニタ等の画像表示部２１に適した階調分解能、例えば一般的には８ｂｉｔ・３のカラーを有する診断用電子画像である。この画像Ｘ２ａはＪＰＥＧ等のファイルの非可逆圧縮が行われた後に、撮影関連情報と共にファイル保存部２４に保存される画像Ｘ３ａとなる。しかし、撮影関連情報は画像データに対して極めて少ないデータ量であるため、画像Ｘ２ａに比べて画像Ｘ３ａのデータ容量は非可逆圧縮による容量圧縮により更に縮小されると考えてよい。
【００３９】
これに対し、図５（ｂ）は従来の装置における階調情報を原画像のまま記録する方法の説明図である。デジタルカメラ１１内の基画像データ生成部１９が生成する基画像データ画像Ｘ１ｂは、階調情報、空間情報共に原画像のままとなっている。
【００４０】
従って、データ量としては画像Ｘ１ｂは画像Ｘ０と同等となる。画像Ｘ２ｂは各撮影モードに従った階調変換が施され、最終的には画像表示部２１に適した所定の階調分解能、例えば一般的には８ｂｉｔ・３の（ＲＧＢ）を有する診断用電子画像である。この画像Ｘ２ｂはその後に撮影関連情報と共に、ファイル保存部２４に保存される画像Ｘ３ｂとなることは図５（ａ）と同様である。
【００４１】
しかし、このような装置では画像データの転送や画像処理を行う際に、画像Ｘ１ｂのような大きなデータ量を扱うことが要求されるため、システム負荷が発生し、使い勝手の悪いものとなる。
【００４２】
図５（ｃ）は本実施例の第２の処理による蛍光撮影モードにおける画像データの変換についての説明図である。図５（ｃ）の各部の大きさは、図５（ａ）、（ｂ）と同様にデータ容量を示しており、ここでは前述の蛍光撮影モードの説明で行ったように、減色処理と、蛍光撮影モードに従った階調変換とを実行する。デジタルカメラ１１内の基画像データ生成部１９が、撮像された原画像Ｘ０を空間分解能は原画像、例えば総画素数１０Ｍピクセルのまま、階調分解能を例えば１２ｂｉｔ・３（ＲＧＢ）から８ｂｉｔモノクロに減ずる。更に、必要に応じてファイルの非可逆圧縮、例えばＪＰＥＧ圧縮を施した基画像データＸ１ｃを生成する場合には、画像処理部２２に転送された基画像データＸ１ｃはファイルの復元が行われ、復元された画像データＸ２ｃとなる。
【００４３】
しかし、これは既に最終的には画像表示部２１に適した階調分解能、蛍光では例えば８ｂｉｔモノクロに低減、かつ適切な階調処理がなされているので、この画像Ｘ２ｃを診断用電子画像として画像表示部２１に表示することができる。その後に、画像Ｘ２ｃは再度ファイル圧縮が施され撮影条件情報入力部２５と、撮影情報保存部２３との撮影関連情報と共に、ファイルＸ３ｃとしてファイル保存部２４に保存される。従って、前述したように画像処理部２２では、一般的には特別な階調変換を行う必要はない。
【００４４】
蛍光撮影のように高速の連続撮影を行う際に、システム負荷は画像処理を行うデータ量に大きく左右される。ここで、画像Ｘ１ｃの容量は画像Ｘ１ｂよりも小さくなっているため、カラー撮影モードでのシステム負荷に比べて小さくすることが可能で、蛍光撮影で要求される速度を満足する画像データ通信、画像表示が可能となる。
【００４５】
しかし、このプロセスを従来装置のように、カラー撮影に採用した場合に、画像編集部２６は既にデジタルカメラ１１内の基画像データ生成部１９で撮像された原画像Ｘ０の階調分解能を減ずる減色処理が行われる。そして、得られた画像Ｘ２ａに対してガンマ補正やコントラスト補正等の処理を行い、画像表示部２１に出力を繰り返すことになる。即ち、ここで行われるカラー画像処理においては、十分な階調分解能を維持していないため、所望の結果を得ることができない。
【００４６】
以上を要約すれば、カラー撮影モードで採用される第１の処理による図５（ａ）のシステムは、図５（ｂ）の持つ欠点をカラー眼底画像の特性を生かして画質を損うことなく、システム負荷を軽減できる画像データを生成することができる。
【００４７】
階調表現がよりきめ細やかに必要とされるカラー画像に対して、画像処理手段に入力された基画像データを一度解析し、その結果に基づいた処理を実行する所謂適応処理を実行することが可能となる。
【００４８】
なお実施例１では、読影を行う際に画像処理部２２を手動で実行する例を述べたが、基画像データファイルを解析し、その画像に最適な処理パラメータを生成し、自動処理を行うことも可能である。更に、例えば強調したい部位や対象となる病変毎に、複数のパラメータの生成方法を用意しておき、検者がそれを必要に応じて選択可能とすることもできる。
【００４９】
高速連射が必要な蛍光診断用画像を得る蛍光撮影モードの際は、データ転送手段に非可逆圧縮された画像データを流すことにより高速撮影を可能とする。また、より低速な場合では、圧縮による画質の低下を抑えるため、可逆圧縮又は非圧縮の画像データを用いて精密な診断用画像が得られる。
【実施例２】
【００５０】
上述の実施例１では、カラー撮影モードと蛍光撮影モードの２つのモードを有する眼底カメラを例に説明した。本実施例２の眼底カメラは、レッドフリー撮影モードのようにカラー撮影モードと蛍光撮影モードの中間に位置するような特性を持つ複数の撮影モードを有している。
【００５１】
例えば、レッドフリー撮影モードで撮影される無赤色画像の場合に、必要とされる空間分解能Ｓｒは、カラー画像に必要とされる空間分解能Ｓｃと蛍光画像の空間分解能Ｓｆと比較すると、Ｓｃ＜Ｓｒ＜Ｓｆの関係になる。同様に、必要とされる階調分解能を無赤色画像はＤｒ、カラー画像ではＤｃ、蛍光画像ではＤｆとした場合に、Ｄｃ＞Ｄｒ＞Ｄｆという関係にある。
【００５２】
従って、デジタルカメラ１１内の基画像データ生成部１９が、撮像された原画像に対して行う処理としては、階調分解能は原画像よりも稍々減じたもの、例えば１０ｂｉｔモノクロとする。また、空間分解能としてはカラー画像に対するよりも高い分解能を有する第２の処理を実行するように設定すればよい。
【００５３】
即ち、このような第２の処理を各撮影モードに対して適切に設定することにより、各撮影モードの特性に合った画像を得ながら、負荷を調整することも可能である。
【００５４】
なお実施例１では、蛍光撮影モードにおいて階調分解能を最終的な表示診断用画像の階調分解能とし、画像処理部２２に転送された後に、特に階調処理を行わない例を示している。しかし、階調分解能をもう少し上に設定しておいて、より階調描画性能を高めることもできる。更には、同一の撮影モードに対して、ユーザの選択により複数の解像度の組み合わせを行えるように設定しておくことも有用である。
【００５５】
また、基画像データ生成部１９が撮像された原画像に対して行う処理として、必要に応じて用意されるファイル圧縮の種別や利かせ方も、パラメータとして選択できるようにしておくことができることは云うまでもない。
【符号の説明】
【００５６】
１  眼底カメラ
２  パーソナルコンピュータ
３、４  通信経路
１１  デジタルカメラ
１２  撮影開始手段
１３  撮影モード選択手段
１４  眼底カメラ制御部
１５  撮影情報管理部
１６  画像生成検出管理部
１７  撮像素子
１８  デジタルカメラ制御部
１９  基画像データ生成部
２１  画像表示部
２２  画像処理部
２３  撮影情報保存部
２４  ファイル保存部
２５  撮影条件情報入力部
２６  画像編集部
【図１】
2010194161.tif 000003
【図２】
2010194161.tif 000004
【図３】
2010194161.tif 000005
【図４】
2010194161.tif 000006
【図５】
2010194161.tif 000007